(57)【要約】【課題】  複数個の物品の梱包が可能な梱包容器に容量より少ない数の物品を梱包する場合でも、緩衝充填材の使用を少なくすることができる梱包容器を提供する。【解決手段】  梱包容器１は３個の物品Ｇを梱包することができるが、２個の物品Gを梱包する場合には、物品Gを入れる箇所の区画片６は折れ線７の位置で折り曲げることなく伸ばしたままの状態で底板２と上板３との空間Ｓに物品Ｇを配置する一方、物品Ｇを配置しない箇所の区画片６は折れ線７の位置で底板２の上面方向に折り曲げると、その開放端が底板２の上面に係止され、この区画片６により物品Ｇが配置される場所と配置されない場所とが整然と区画された状態で物品Ｇが梱包容器１内で固定される。【選択図】        図４
2007022599.tif 000002
【特許請求の範囲】
【請求項１】
底板と、底板に対向配置され一端が開放端の上板との間に、複数個の物品を区画して梱包可能な梱包容器であって、上記上板の開放端側に、開放端から内方に向けて切断されて物品を区画配置する区画片を形成するとともに、区画片の開放端側が底板方向に折れ曲がる折れ線を形成して構成されたことを特徴とする梱包容器。
【請求項２】
前記底板と上板との間に、区画片を折れ線で折り曲げた際両側から挟み込む仕切板を設けたことを特徴とする請求項１記載の梱包容器。
【請求項３】
前記区画片の開放端は底上面に係止される位置まで折れ曲がることを特徴とする請求項１又は２記載の梱包容器。  
【請求項４】
前記区画片は底板と上板との間隔より長尺に形成されたことを特徴とする請求項３記載の梱包容器。
【発明の詳細な説明】
【技術分野】
【０００１】
本発明は、複数個の物品を区画して梱包する梱包容器である。
【背景技術】
【０００２】
梱包容器に物品を梱包する際には、容器と物品と間に隙間が生じることが避けがたい。このため、隙間には物品の保護、跳動防止等の目的から紙くず、発泡スチロール等の緩衝充填材を充填する。特に、複数個の物品を梱包することが可能な容器に、容量より少ない数の物品を梱包する場合には大きな隙間が生じる。例えば、３個入れの梱包容器に２個の物品を梱包しようとする場合には、まるまる物品１個分の大きさが隙間となる。このため、この１個分の隙間を満たす緩衝充填材を充填しなければならないので、余分な緩衝充填材を必要とし、使用後の処分も無駄である。
【特許文献１】特開２００３−１３７２７２号公報
【特許文献２】特開２００３−１２８１４５号公報
【特許文献３】特開２００５−７５３８８号公報
【０００３】
ところで、ごみの減量化、リサイクル、資源の有効利用、省エネルギー等々自然への負荷の減少化が叫ばれている昨今、ごみの増加につながる緩衝充填材の使用量が増加することは好ましいことではない。そこで、上記のような容量より少ない数の物品を梱包する場合にも無用な緩衝充填材の使用は極力避ける必要がある。
【発明の開示】
【発明が解決しようとする課題】
【０００４】
解決しようとする問題点は、複数個の物品の梱包が可能な梱包容器に容量より少ない数の物品を梱包する場合でも、緩衝充填材の使用を少なくすることができる梱包容器を提供することである。
【課題を解決するための手段】
【０００５】
本発明は、上記課題を解決するために、底板と、底板に対向配置され一端が開放端の上板との間に、複数個の物品を区画して梱包可能な梱包容器であって、上記上板の開放端側に、開放端から内方に向けて切断されて物品を区画配置する区画片を形成するとともに、区画片の開放端側が底板方向に折れ曲がる折れ線を形成して構成された。
また、前記底板と上板との間に、区画片を折れ線で折り曲げた際両側から挟み込む仕切板を設けて構成されてもよい。
また、前記区画片の開放端は底上面に係止される位置まで折れ曲がることが好ましい。
さらに、前記区画片は底板と上板との間隔より長尺に形成されることがより好ましい。
【発明の効果】
【０００６】
本発明の梱包容器によれば、例えば３個の物品を梱包できる梱包容器とすると、３個の物品を梱包する場合には、隙間は生じないので、区画片を折れ線の位置で折り曲げることなく伸ばしたままの状態で底板と上板との間に物品を配置し、そのまま梱包するが、２個の物品あるいは１個の物品を梱包する場合には、物品を入れる箇所の区画片は折れ線の位置で折り曲げることなく伸ばしたままの状態で底板と上板との間に物品を配置する一方、物品を配置しない箇所の区画片は折れ線の位置で折り曲げると、その開放端が底板側方向に折れ曲がり、この区画片により物品が配置される場所と配置されない場所とが整然と区画された状態で物品が梱包容器内で固定されることにより、梱包容器内での揺動を防止することができ、区画片が緩衝充填材と同等の機能を果たすので、緩衝充填材を充填する必要がなく、緩衝充填材の使用量を削減することができる。
また、前記底板と上板との間に、区画片を折れ線で折り曲げた際両側から挟み込む仕切板を設けたものは、仕切板により折り曲げた区画片が両側から固定され、区画片及び仕切板との相乗効果により緩衝作用が増加して一層物品の揺動が防止されて梱包できるばかりでなく、不定形の物品でも安定した状態に梱包することができるので、緩衝充填材を充填する必要がなく、緩衝充填材の使用量を削減することができる。
また、前記区画片の開放端は底上面に係止される位置まで折れ曲がるものは、折れ曲げた区画片が底板に係止されて安定するので、梱包容器内での物品の固定が強化される。
さらに、前記区画片は底板と上板との間隔より長尺に形成されたものは、折れ曲げた区画片と底板との係止がより確実になり、梱包容器内での物品の固定がより一層強化される。
【発明を実施するための最良の形態】
【０００７】
以下、本発明の実施の形態について説明する。
【０００８】
梱包容器１は３個の同じ大きさの箱体の物品Ｇを梱包するために１枚の厚紙により構成されたものであり、底板２と上板３とは組立て後に対向配置される位置に形成されており、この底板２と上板３との空間Ｓに物品Ｇを挟んだ状態で梱包する。      
【０００９】
底板２には折れ線２Ａを介して側板４が連設され、側板４には折れ線４Ａを介して上板３が連設されている。
【００１０】
上板３は一端、すなわち折れ線４Ａとは反対側の他端が開放端に形成されており、この開放端から内方、すなわち、折れ線４Ａの方向に向けて切断線５、５により切断されて物品Ｇの大きさに合わせた大きさの区画片６、６、６が形成されている。        
【００１１】
また、上板３は、区画片６、６、６の基端側に区画片６、６、６の開放端が底板２の上面に係止される位置まで折れ曲がる折れ線７が形成されている。
【００１２】
特に、本実施例の場合においては、区画片６、６、６の長さＬは組立後の梱包容器１の底板２と上板３との上下間Ｌｓより長尺に形成されており、折れ線７の位置で折り曲げると、図４に示すように、底板２と上板３との空間Ｓ内に傾斜した状態で係止されるように設定されている。
【００１３】
また、底板２には折れ線２Ｂを側板８が連設され、側板８には折れ線８Ｂを介して蓋板９が連設されている。この蓋板９は組立て後の梱包の際には、上記上板３の上部に重ねて配置される。
【００１４】
１０、１０は折れ線２Ｃ、２Ｃを介して底板２に連設する側板、１１、１１は折れ線４Ｃ、４Ｃを介して側板４に連設する側板、１２、１２は折れ線８Ｃ、８Ｃを介して側板８に連設する側板、１３、１３は折れ線９Ｃ、９Ｃを介して蓋板９に連設する側板である。
【００１５】
また、１４は蓋板９の開放端に形成された閉鎖係止片、１５は折れ線４Ａの位置に形成された閉鎖係止孔であり、梱包終了時に閉鎖係止片１４を閉鎖係止孔１５に挿入することにより、梱包容器１が閉鎖係止される。
【００１６】
かかる構成において、まず、３個分の物品Ｇを梱包容器１に梱包する場合には、隙間は生じないので、区画片６、６、６を折れ線７の位置で折り曲げることなく伸ばしたままの状態で底板２と上板３との間に物品Gを配置し、そのまま梱包する。
【００１７】
次に、２個の物品Gを梱包する場合には、物品Gを入れる箇所の区画片６は折れ線７の位置で折り曲げることなく伸ばしたままの状態で底板２と上板３との空間Ｓに物品Ｇを配置する一方、物品Ｇを配置しない箇所の区画片６は折れ線７の位置で底板２の上面方向に折り曲げると（図４参照）、その開放端が底板２の上面に係止され、この区画片６により物品Ｇが配置される場所と配置されない場所とが整然と区画された状態で物品Ｇが梱包容器１内で固定される、すなわち、折れ線７の位置で折り曲げた区画片６により梱包容器１内での移動が防止され、区画片６が緩衝充填材と同等の機能を果たすことになる。
【００１８】
物品Ｇを配置した後は、各側板８、１０、１１、１２、１３をそれぞれの折れ線８Ｃ、２Ｃ、４Ｃ、９Ｃを折り曲げて組立て、ついで折れ線８Ｂにより折り曲げて蓋板９を上板２の上面に重ね、閉鎖係止片１４を閉鎖係止孔１５に係止し、さらに、適宜箇所を接着テープ等で固定することにより、梱包が完了する。
【００１９】
なお、折り曲げた区画片６の底板２との係止をさらに確実にするためには、折り曲げた区画片６を接着テープにより固定したり、あるいは図４に示すように、緩衝充填材Ｆを充填してもよい。この緩衝充填材Ｆを充填する場合でも、底板２と上板３との空間Ｓ全域に充填することなく、上板３の開放端側の空間Ｓ１にのみ充填すればよいので、緩衝充填材Ｆの使用量を削減できる。
【００２０】
また、上記実施例では、区画片６、６、６の長さＬは組立後の梱包容器１の底板２と上板３との上下間Ｌｓより長尺に形成したものを示したが、同尺のもの、あるいは短尺のものでもよく、要は、折れ線７の位置で折り曲げれて、物品Ｇが配置される場所と配置されない場所とが整然と区画された状態で物品Ｇが梱包容器１内で固定され、梱包容器１内での揺動が防止されるものであればよい。
【００２１】
また、本発明は表裏を逆にしてリバーシブルに使用することができるものであり、表裏の色、模様等を替えることにより、物品毎に異なる梱包容器に兼用する等適宜場合に応じて使用することができる。
【００２２】
図５及び図６は他の実施例を示す。
【００２３】
このものは、底板２と上板３との間に、折れ線７で折り曲げた区画片６を両側から挟み込む仕切板２１を設けたものである。
【００２４】
仕切板２１は梱包容器１とは別の厚紙によりコ字状に形成されており、上記底板
２に接する底部２１ａと、底部２１ａの両端に折れ線２１ｂ、２１ｂを介して上板３に接する位置まで起立形成される側部２１ｃ、２１ｃとから構成されている。  
【００２５】
この仕切板２１は底板２と上板３との間で、側板２１ｂ、２１ｂが折れ線７で折り曲げられた区画片６（図では中央）を両側から挟み込むことにより、仕切板２１により折り曲げられた区画片６が両側から固定されることになる。これにより一層物品Gの揺動が防止されて梱包されるばかりでなく、不定形の物品でも安定した状態に梱包することができる。すなわち、区画片６と仕切板２１との相乗効果により緩衝作用が増加し、緩衝充填材を入れない又はその充填量を減少させても緩衝効果に優れるので、緩衝充填材の使用量を削減することができる。
【図面の簡単な説明】
【００２６】
【図１】２個の物品を梱包した状態を示す梱包容器の全体斜視図である。
【図２】梱包容器の展開図である。
【図３】２個の物品の梱包途中を示す梱包容器の平面図である。
【図４】図３のＡ−Ａ線断面図である。
【図５】仕切板の全体斜視図である。
【図６】仕切板を梱包容器内部に配置した側面図である。
【符号の説明】
【００２７】
１    梱包容器
２    底板
３    上板
５    区画線
６    区画片
７    折れ線
２１    仕切板
２１ａ  底部
２１ｃ  側部  
【図１】
2007022599.tif 000003
【図２】
2007022599.tif 000004
【図３】
2007022599.tif 000005
【図４】
2007022599.tif 000006
【図５】
2007022599.tif 000007
【図６】
2007022599.tif 000008